(57)【特許請求の範囲】
【請求項１】
折り畳み式階段と上端に台を備えた脚体を連結してなる脚立において、上記折り畳み式階段は第１上リンク、下リンク、上縦リンク、それに下縦リンクを連結して平行四辺形リンク体を構成し、この平行四辺形リンク体の上記下リンクを床面に置いて一定間隔をおいて並設・起立するとともに、上記上縦リンクと下縦リンクに踏み板を第１上リンクと下リンクに平行して軸着し、又両第１上リンク間には台を取り付けし、そして平行四辺形リンク体の上下縦リンクの傾斜角すなわち折り畳式階段の勾配を固定する為の傾斜角度固定装置を第１上リンクと上縦リンクの交差部に取り付けし、一方の脚体上端両側には第２上リンクを屈曲自在に連結するとともに、ほぼ垂直を成す位置にて固定する為の第２ストッパー装置を備え、そして両第２上リンク間には台を取り付けして脚体の台と折り畳み式階段の台が同じ高さとなるように第１上リンクと第２上リンクを連結し、さらに脚体にはその下方に脚を伸縮自在に取り付けたことを特徴とする折り畳み式脚立。
【請求項２】
上記折り畳み式階段の台と脚体上端の台が折れ曲がることを防止する為の第１ストッパー装置、並びに脚体が台に対して折れ曲がることを防止する第２ストッパー装置を備えた請求項１記載の折り畳み式脚立。
【発明の詳細な説明】
【０００１】
【産業上の利用分野】
本発明は安定性が高い折り畳み式の脚立に関するものである。
【０００２】
【従来の技術】
高所に物を置いたり、又は高所に在る物を取り除いたりする場合には一般に脚立が使用され、人はこの脚立に載って作業する。従って、各家庭には高所への物の出し入れを行う為に脚立を所有している場合が多い。勿論、該脚立は家の内装作業や外装作業に際しても用いることが多く、ハシゴとは違った用途がある。すなわち、脚立は両側に開くことが出来る２本の脚を有していて、ハシゴのように凭れ掛かって起立するのではなく、平坦な場所であるならば単独で起立することが出来る。
【０００３】
図８は従来から使用している一般的な脚立である。２本の脚体（イ）、（イ）は下方に向いて広がり、逆Ｖ型を成しており、該脚体（イ）、(イ)はその上端が台（ロ）に揺動自在に連結している。そして脚体（イ）は２本の縦桟（ハ）、（ハ）に踏み板（ニ）、（ニ）…を水平に取付けている。従って、これら踏み板（ニ）、（ニ）…に足を掛けて適当な高さまで上がることが出来る訳であるが、この型式の脚立の上記踏み板（ニ）は細い棒材であって、その為に足の支えが少なくて安定性に欠け、足を踏み外した時には作業中に落下してしまうことがある。又起立した状態であっても安定性に欠ける。
【０００４】
一方、該脚立は同図から明らかなように台（ロ）を通過する中立軸を中心として左右対称を成している為に、例えば台（ロ）の位置が脚体（イ）下端の位置から距離Ｌだけズレてしまうことになる。この位置ズレが使用用途によっては不都合となる場合が生じ、壁面に接した状態で使用することは出来ない。又、台（ロ）は小さくてこの上で作業するには危険が伴う等の問題もある。
【０００５】
【発明が解決しようとする課題】
このように従来の脚立には上記のごとき問題がある。本発明が解決しようとする課題はこれら問題点であり、台が大きくて安定性が高く、特に重いものを持ち上げる場合にも危険性がなく、又一方の脚は垂直に立ち上がって、台との間に距離を置かない為に壁面に面して起立することが出来る脚立を提供する。
【０００６】
【課題を解決するための手段】
本発明の脚立は従来のような逆Ｖ型ではなく、片側の脚体を垂直とした台形を成している。一方の脚体は傾斜していて、該脚体に踏み板が取付けられた折り畳み式階段を構成している。この折り畳み式階段を構成する側片は平行四辺形リンク体を形成したものであり、第１上リンクと下リンクは床面に平行で、上縦リンクと下縦リンクは第１上リンクと下リンクの両端を連結している。台は左右の第１上リンク間に取付けされ、他の踏み板は該台に平行となるように上記上縦リンクと下縦リンク間に軸着されている。
【０００７】
上記踏み板の幅は両側の平行四辺形リンク体間距離であり、又奥行きは上縦リンクと下縦リンクを垂直に起立した場合の距離となっている。従って、従来の脚立の踏み板に比較して奥行きが大きく、足を踏み外すことはなくて安定する。上下縦リンクは適当な角度に傾斜した階段の勾配となり、この角度を固定する為のロック装置を備えている。該ロック装置は第１上リンクと上縦リンクのコーナーに取付けられ、両リンク間の交差角度を固定することによって上記階段の勾配が定まるようになっている。
【０００８】
勿論、下リンクと下縦リンク間のコーナーに取付けてもよいが、操作が不便である。一方の垂直脚体は上端に台を同じ高さで配置し、両台は互いに連結していて折り畳むことが出来る。そして台の後端からは垂直に脚体が延び、該脚体には伸縮できる脚が取着されていて、この脚体並びに脚も屈曲して該台と同一面になり得る。
【０００９】
ところで、脚立として使用する場合には両台は同一面を成して水平に配置されることになるが、この場合に両台が屈曲しないように保持されなくてはならない。又上記脚体が屈曲して倒れないように固定しなくてはならない。そこで両台が屈曲しないように又脚体が折れ曲がらないようにストッパー装置を備えている。ただし、このストッパー装置の具体的な構造は特に限定しない。以下、本発明に係る実施例を図面に基づいて詳細に説明する。
【００１０】
【実施例】
図１は本発明の脚立を表す実施例である。同図から明らかなように、従来の脚立に比べて上端の台１は大きく、又踏み板２の面積も大きい。従って、足を踏み外すことはなく、安全で安定した脚立となる。そして、片側の脚体は折り畳み式の階段を構成して２枚の踏み板２，２は台１ａと平行を成しており、他方の脚体３は台１ｂから垂直下方に延びていて、下方には伸縮自在な脚４，４が取付けられている。勿論、踏み板は有していない。
【００１１】
同図における左側の傾斜した脚体のみをとらえるならば、折り畳み式階段５であり、この側部は平行四辺形リンク体で構成され、両平行四辺形リンク体間に踏み板２，２並びに台１ａが取着されている。これら踏み板２，２の取着形態は平行四辺形リンク体の変形に追従して動き得るように軸着される。この平行四辺形リンク体は第１上リンク６、下リンク７、上縦リンク8、下縦リンク9からなっていて、第１上リンク６、下リンク7の両端に上縦リンク8と下縦リンク９が連結して構成している。第１上リンク6と下リンク７は常に平行であって、しかも水平と成っており、又上縦リンク８と下縦リンク９も互いに平行を成している。
【００１２】
そして踏み板２，２は上記第１上リンク６、下リンク７に平行となるように上縦リンク８と下縦リンク９に側端の縁が止着されている。従って、平行四辺形リンク体がいかような形になっても、下リンク７が床面に接している限り、踏み板２，２は常に水平となり、折り畳み式階段の傾斜角度に影響しない。
【００１３】
ところで、この折り畳み式階段の傾斜角度は自由に調整することが出来、しかも所定の勾配にて固定することが出来る構造となっている。すなわち、この階段には角度固定装置を備えており、上記平行四辺形リンク体の第１上リンク６と上縦リンク８間の交差角度が固定されるように構成している。
【００１４】
階段の勾配を調整して定める角度固定装置の具体例を図２に基づいて説明すると、この装置は第１上リンク６側にラジェット１０を上縦リンク８と連結している軸に軸支し、上縦リンク８側にはツメ部材１１を取付けしている。上記ラジェット１０は腕を伸ばし、この腕先端を第１上リンク６に設けたネジに螺合している移動部材１３に固定している。上記ツメ部材１１は上縦リンク８に設けた軸１４に軸支され、先端のツメ１５は上記ラジェット１０の歯に噛み合っている。そして、ツメ部材１１にはバネ１６を取付けして、そのツメ１５が常にラジェット１０の歯に噛み合うようにしている。
【００１５】
そして、上記ツメ部材１１のアーム端にはレバー１７が連結していて、該レバー１７を押圧するならばツメ１５はラジェット１０の歯から離れることが出来て、第１上リンク６と上縦リンク８との交差角度は自由に変え得る。従って、交差角度が定まったところでレバー１７を手放しするならば固定され、すなわち、階段の勾配が固定される。該ラジェット１０の歯１枚ごとに約１５度の角度調整が出来るようになっているが、１５度の範囲内での微調整は上記ネジ２８を調整することでなされる。
【００１６】
図２（ｂ）は（ａ）におけるＡ−Ａ断面拡大図であり、上記ネジ２８を回すことによってラジェット１０の腕１２の位置が変わり、その結果ラジェット１０の歯が回転し、該歯に噛み合っているツメ部材１１及び上縦リンク８の角度が変化する。ネジ２８はその頭にレバー式ハンドル２７を設けていて、該レバー式ハンドル２７を回すことによって操作する。
【００１７】
一方脚体３はその上端に設けている台１ｂから垂直下方へ延びており、脚体３は上記台１ｂの両側に配置されて該台１ｂを取付けている第２上リンク１８端に設けている軸１９に軸支されて自由に屈曲することが出来る。そして、この第２上リンク１８は前記折り畳み階段の下縦リンク上端に連結して屈曲することが出来、しかし脚立として起立している場合には屈曲しないように、すなわち、両台１ａ、１ｂが離れないように止着されている（図３参照）。その為に第２上リンク１８の接合端面にはツメ２０が取付けられていて、このツメ２０は第１上リンク６の接合面に形成している溝に係止している。台１ｂを屈曲して折り畳む場合には該ツメ２０を溝から外さねばならない。
【００１８】
脚体３には脚４，４が伸縮自在な状態で取付けられ、台１ｂが折り畳み式階段の台１ａと同じ高さで、互いに水平に位置するように該脚４，４の高さが設定される。図３は折り畳み式階段側の台１ａと脚体側の台１ｂが互いに屈曲している場合であり、台１ｂに設けているツメ２０を溝から解除することで同図のように屈曲する。第２上リンク１８の側面から突出して設けられる突片２１を操作することで上記ツメ２０が溝から解除するようになっており、逆に、ツメ２０が溝に係合する場合には両台１ａ，１ｂの接合面を突き合わせすればよい。
【００１９】
図４は本発明の脚立の後方を表している場合であり、脚体３は第２上リンク１８の端に軸支され、脚体３に取付けられている脚４，４は逆Ｖ型を成していて、前記の通りその長さは伸縮可能に調整できる。そして、該脚体３は第２上リンク１８端に設けた軸１９に取付けられている為に、該軸１９を中心として屈曲することが出来る訳であるが、脚立として図のように起立している場合には、該脚体３が屈曲してはならない。そこで、脚体３の上端には第２ストッパー装置を備えている。
【００２０】
図５はこの第２ストッパー装置であり、脚体３の上桟２２にはピン２３ａ、２３ｂが水平に設けられ、該ピン２３ａ，２３ｂの先端は第２上リンク１８，１８端に形成している穴に嵌入している。そして両ピン２３ａ，２３ｂの中央にはレバー２４が揺動可能な状態で取付けられていて、矢印方向に揺動させるならば両ピン２３ａ，２３ｂは後退して穴から外れる。従って、脚体３は軸１９を中心として屈曲することが出来る。ここでピン２３ａ，２３ｂが該穴から独りでに外れないように、外方向へ張り出しするバネ力が作用している。
【００２１】
図６は本発明の脚立が折り畳まれた状態である。折り畳み式階段５は平行四辺形リンク体にて構成されているために、折り畳んで上縦リンク８と下縦リンク９が互いに当接し合い、又第１上リンク６及び下リンク７も上下縦リンク８，９に当接する。従って、折り畳み式階段５は一枚の板状態となり、更に脚体３と台１ｂも板状態と成って重なり合う。この場合、上記レバー２４を操作してピン２３ａ，２３ｂを外して脚体３を延ばし、又台側端に設けている突片２１を操作してツメ２０を溝から外して該台１ｂを屈曲させる。
【００２２】
図７は本発明に係る脚立を表す他の実施例であり、この脚立には支え２５，２５が取付けられている。該支え２５の一端は折り畳み式階段５の平行四辺形を構成する第１上リンク端に連結しており、他端は脚体３の中間部に連結している。そして該支え２５は中間に設けている軸２６にて折り畳み出来る構造となっている。この脚立には両台１ａ，１ｂを連結する為のツメ２０を備えておらず、又脚体３の屈曲を防止する為のストッパー装置を備えていない。
【００２３】
この支え２５を取付けることによって、階段の踏み板２，２並びに台１ａの上面に作用する荷重は該支え２５を引っ張るようになる。従って両台１ａ，１ｂの接合面が離れることはなく、又脚体３が折れ曲がることもない。以上述べたように、本発明の脚立は折り畳み式階段に台を連結するとともに、該台は脚体を取付けしたものであって、次のような効果を得ることが出来る。
【００２４】
【発明の効果】
本発明の脚立は折り畳み式階段を備えており、この階段は平行四辺形リンク体に大きな踏み板を取付けした階段であり、上り下りに際して足を踏み外すことはなく安全である。そして、この折り畳み式階段はその傾斜度を自由に調整することが出来、更に上端には踏み板と同じ大きさの台が２枚設けられる為に面積は広く、該上端に載って作業をする場合には便利である。一方、該脚立は折り畳み式階段並びに脚体を折り畳んで一枚の板状態とすることが出来る為に、持ち運びや収納が容易となり、更に、該脚立の後方側の脚体は台に対して垂直を成している為に、部屋の壁面に空間を残すことなく接するように配置することが出来る。
【図面の簡単な説明】
【図１】  本発明の脚立を表す実施例。
【図２】  折り畳み式階段の傾斜角度固定装置の具体例。
【図３】  脚立の上端の両台間に設ける連結構造。
【図４】  脚立の上端後方を表す。
【図５】  脚体の折り畳みストッパー装置。
【図６】  脚立が折り畳まれた状態。
【図７】  支えを備えた脚立の実施例。
【図８】  従来の脚立。
【符号の説明】
１  台
２  踏み板
３  脚体
４  脚
５  折り畳み式階段
６  第１上リンク
７  下リンク
８  上縦リンク
９  下縦リンク
10  ラジェット
11  ツメ部材
12  腕
13  移動部材
14  軸
15  ツメ
16  バネ
17  レバー
18第２上リンク
19軸
20ツメ
21突片
22上桟
23ピン
24レバー
25支え
26軸
27ハンドル
28ネジ
【図１】
0003650895.tif 000002
【図２】
0003650895.tif 000003
【図３】
0003650895.tif 000004
【図４】
0003650895.tif 000005
【図５】
0003650895.tif 000006
【図６】
0003650895.tif 000007
【図７】
0003650895.tif 000008
【図８】
0003650895.tif 000009